(57)【要約】【課題】本発明の課題は、バルーン付きカテーテルのバルーンの過注入が構造上出来ない拡張用注入器を提供して、不慣れな術者でも準備中、術中に過注入を行い、狭窄部を過剰に拡張して合併症を発生させる可能性や、バルーン補強用の複合糸を切断して、以後の手術に使用できない状態にする可能性を排除することである。【解決手段】バルーンが弾性糸と非弾性糸からなる複合糸で補強されてなり、該複合糸が該弾性糸を芯、該非弾性糸を鞘とする芯鞘糸であるバルーン付きカテーテルのバルーン拡張用注入器において、バルーン外径を規定以上に拡張しないよう、壁面に注入量を規制するための貫通孔が設けられた事を特徴とするバルーン拡張用注入器を提供する。【選択図】        図３
2009291345.tif 000002
【特許請求の範囲】
【請求項１】
バルーンが弾性糸と非弾性糸からなる複合糸で補強されてなり、該複合糸が該弾性糸を芯、該非弾性糸を鞘とする芯鞘糸であるバルーン付きカテーテルのバルーン拡張用注入器において、バルーン外径を規定以上に拡張しないよう、壁面に注入量を規制するための貫通孔が設けられた事を特徴とするバルーン拡張用注入器。
【請求項２】
前記貫通孔が側壁面に設けられた事を特徴とする請求項１に記載のバルーン拡張用注入器。
【請求項３】
前記貫通孔が最大注入量を表示する位置から０．１〜０．５ｍｍ手元側に離れた位置に設けられた事を特徴とする請求項２に記載のバルーン拡張用注入器。
【請求項４】
前記貫通孔の径が０．１〜０．９ｍｍであることを特徴とする請求項１〜３のいずれかに記載のバルーン拡張用注入器。
【発明の詳細な説明】
【技術分野】
【０００１】
本発明は、医療において、狭窄した心臓の僧帽弁を拡張し血流を正常にする等の治療を行う時に用いられるバルーン付カテーテルの付属品に係り、特に過注入による合併症の防止とバルーンを補強している複合糸の切断を防止するバルーン拡張用注入器に関する。
【背景技術】
【０００２】
近年、バルーン付カテーテルを用いた治療方法が広く普及している。バルーンの径を収縮させた（縮径させた）状態で狭窄あるいは閉塞した血管等に潜り込ませておき、流体を圧入してバルーンを膨張させることにより血管等を拡張し狭窄部あるいは閉塞部を正常化する治療が行われているのである。また、老化や石灰化あるいはリュウマチ熱の後遺症で狭窄している心臓弁の弁切開手術や人工弁の弁置換手術に代わる非切開手術的な経皮的弁裂開術にも、バルーン付カテーテルが、既に多く使用されている。従来のバルーン付カテーテルでは、図１に示すように、チューブ２の先端部に付設されているバルーン１を狭窄した部位に潜り込ませた状態でバルーン１を図２の様に流体を圧入して膨張させて狭窄した部位を拡張させ、治療を行う。バルーンを拡張する際はバルーン拡張用注入器として注射筒３がよく使用される。バルーン拡張用注入器の注射筒３には図３に示すように注入量６とバルーン外径７の関連が表示されている。６ａまで注入液を満たし、その注入液を全量注入すれば、バルーン１の中央外径が３０ｍｍまで拡張し、６ａから６ｂまで注入液を注入すればバルーン１の先端側のみが拡張し、僧帽弁への位置決めが出来るという表示である。しかしながら、不慣れな術者は理解せずに準備中、術中に過注入を行い、狭窄部を過剰に拡張して合併症を発生る可能性や、バルーン補強用の複合糸を切断して、以後の手術に使用できない状態にする可能性があった。
【０００３】
合併症、バルーン補強用の複合糸の切断について更に詳細に１例を説明する。バルーンは取扱説明書に記載されたバルーン拡張径（規定外径）では複合糸が切れない様、安全性を持たせるため、取扱説明書に記載されたバルーン拡張径以上に拡張できる設計になっている。また、拡張用注射筒も多種の注入量に対応できるよう余裕を持った容量になっているため過注入出きる構造になっている。しかしながら、不慣れな術者は注入量とその注入量でのバルーン拡張径をバルーン拡張用注入器に表示してあるに関わらず、それらを理解せずに準備中、術中にバルーン拡張用注入器で過注入を行い、狭窄部を過剰に拡張して合併症を発生させる可能性や、バルーン補給用の複合糸を切断して、以後の手術に使用できない状態にする可能性があった。ここで、過注入による合併症とは狭窄した僧帽弁を過剰に拡張してしまい、僧帽弁が閉塞すべき時に閉塞が不十分になり、血液が一部逆流する症状をいう。次にバルーン補強用の複合糸の切断について説明する。バルーンは１本の複合糸を図６の様に平編みした筒状の編み物で補強されている。この筒状の編み物で補強されているため、狭窄した僧帽弁を機械的に拡張できるほどのバルーン内圧を発生させることが出きる。しかし、過注入によって、設計値以上の過剰な内圧が付与されると、図７に示す様に複合糸の１個所Ａが切断し、パンティストッキングの伝線と同様に、図８、図９の順に編み物の編み目が外れる。編み目が外れると図１０の様に編み目が外れた部分２１と編み目が外れていない部分２２とが出きる。そうすると、複合糸が切れて補強できなくなった部分２０の弾性フィルム部分が拡張するため、バルーン内圧が低下し僧帽弁を拡張出来なくなる。
【特許文献１】特許第２５４５９８１号公報
【特許文献２】特開２００１−２７６２２８号公報
【発明の開示】
【発明が解決しようとする課題】
【０００４】
本発明は、上記の事情に鑑み、過注入が構造上出来ない拡張用注入器を提供することを課題とする。
【課題を解決するための手段】
【０００５】
１．バルーンが弾性糸と非弾性糸からなる複合糸で補強されてなり、該複合糸が該弾性糸を芯、該非弾性糸を鞘とする芯鞘糸であるバルーン付きカテーテルのバルーン拡張用注入器において、バルーン外径を規定以上に拡張しないよう、壁面に注入量を規制するための貫通孔が設けられた事を特徴とするバルーン拡張用注入器。
２．前記貫通孔が側壁面に設けられた事を特徴とする前記１に記載のバルーン拡張用注入器。
３．前記貫通孔が最大注入量を表示する位置から０．１〜０．５ｍｍ手元側に離れた位置に設けられた事を特徴とする前記２に記載のバルーン拡張用注入器。
４．前記貫通孔の径が０．１〜０．９ｍｍであることを特徴とする前記１〜３のいずれかに記載のバルーン拡張用注入器。
【発明の効果】
【０００６】
本発明においては、バルーン付きカテーテルのバルーンの過注入が構造上出来ない拡張用注入器を提供することで、不慣れな術者でも準備中、術中に過注入を行い、狭窄部を過剰に拡張して合併症を発生させる可能性や、バルーン補強用の複合糸を切断して、以後の手術に使用できない状態にする可能性を排除する事ができる。
【発明を実施するための最良の形態】
【０００７】
本発明のバルーン拡張用注入器について説明する。バルーン付きカテーテルには、取扱説明書に記載されている最大規定径に応じた注入量とその注入量に応じた外径表示を有する、図３に示す様な樹脂製の３０ミリリットル用注射筒が一般的に広く使用されている。最大規定径以上にバルーン外径を拡張すると合併症や筒状の編み物で補強された複合糸を切断し、合併症による患者の疾患や複合糸の切断による以後の手術が不能となる可能性がある。そこで、最大規定径以上に拡張できない構造にするため、図３に示すように最大注入量を示す位置である６ａから０．１ｍｍ〜０．５ｍｍ手元側に離れた位置に外筒３ａを貫通する外径０．１ｍｍ〜０．９ｍｍの孔５を開けることが好ましい。６ａの位置は最大拡張径に到達させるために必要な注入量を示す位置であるが、この注入量は確保しつつ、オーバーさせない様な孔の位置とするため、６ａの位置から０．１ｍｍ〜０．５ｍｍ手元側に離れた位置とする。すなわち、最大拡張径より少し大きく拡張させても良い安全設計になっているため、０．１ｍｍ〜０．５ｍｍ手元側にある場合は影響はない。貫通する孔の外径は０．１ｍｍあれば満足する機能を果たすが、生産するときの孔加工工程に支障を及ぼさない範囲で、広く使用されている注射筒のシールゴムを傷つけず、注射筒のストロークがスムーズに行える孔とするため、０．１ｍｍ〜０．９ｍｍであることが好ましい。孔５の形状はどんな形状でもよく、貫通していればその機能が果たせる。孔５は押子３ｂ先端のシール用ゴム先端のシール幅より小さいことが望ましい。孔５の加工は外筒３ａを成形する時に施行してもよく、成形後の後加工で切削、溶融による方法でも可能である。
【０００８】
続いて、バルーン付カテーテルの最良の形態を図面を参照しながら説明する。図１は一実施形態のバルーン付きカテーテルとバルーン拡張用注入器の全体の概略構成を示す平面図である。
【０００９】
図１に示すバルーン付きカテーテルは、断面が丸くて表面が滑らかな細長いチューブ１と、チューブ１の先端部に付設されているバルーン２とを備えている他、必要に応じてチューブ１の後端に流体導入口などを備えている構成となっている。
【００１０】
バルーン付きカテーテルのチューブ１は、図５に示すように、互いに軸方向に摺動可能なようにして同心的に挿し通されている内チューブ１４と外チューブ１１とからなる二重管式チューブである。バルーン２は、流体の導入ＲＡにより膨張する内バルーン９と、流体導入に伴って膨張した内バルーン９を表側から受ける外バルーン１０とからなる二重袋式バルーンである。
【００１１】
内バルーン９は筒状の弾性フィルムからなり、内バルーン９の表裏両面にはシリコーングリースが塗布されている。外バルーン１０は、外側の筒状の弾性フィルム１０ｂと内側のバルーン補強用の筒状の芯鞘糸物１０ａとからなり、バルーン補強用の芯鞘糸物１０ａは弾性フィルム１０ｂの内面にゴム糊等で貼り付けられていて、弾性フィルム１０ｂの飛散防止と共に、バルーンの膨張・収縮によってずれたりせず、均等な膨張が得られるよう構成されている。バルーン２の長さは自由であるが、１５〜７０ｍｍの範囲が適当である場合が多い。
【００１２】
このように、バルーン２の全体層構造としては、前記の弾性フィルム／筒状の芯鞘糸物／弾性フィルムの３層構造であることが望ましい。内バルーン９の弾性フィルムは、２層構成の外バルーン１０のうちでも、とりわけの芯鞘糸物１０ａによる補強効果を受けて伸縮性と耐圧性が十分にあって（弁を機械的に裂開させられる２〜５気圧程度の）大きなバルーン内圧の達成が可能な構成となっている。また、滑らかな表面の弾性フィルム１０ｂは、拡張したバルーンを収縮させる働きと、血管内での通過性を良くする作用を有する。
【００１３】
さらに、図２に示すように、バルーン２を膨張させた時に瓢箪形にするため、外バルーン１０の中ほどに弾性体のバンド８をゴム糊等で接着してある。すなわち、弾性フィルム１０ｂと芯鞘糸物１０ａとの間にはバンド８が嵌められて接着されていて、バンド８のところでは膨張が他より抑えられることで瓢箪形を呈することなのである。拡張したい弁口をバンド８の位置に合わせ、バルーンが弁口から滑り落ちない構成にされている。勿論、バルーンを瓢箪形としない場合には弾性体のバンド８は不要である。
【００１４】
なお、液体が導入されて膨張中の内バルーン９が破れる事故があって、注射筒での液体吸引も出来ず、液体の逃げ口がなくてバルーン２を萎ませられない事態を回避するために、外バルーン１０に逃がし細孔１６が幾つか設けられている。バルーン２が膨張したままではカテーテルを体外に引き出せない。内バルーン９が破れた時には、液体が逃がし細孔１６から放出されてバルーン２が自動的に萎む（収縮する）よう構成されているのである。
【００１５】
両バルーン９，１０に使われる弾性フィルムは、伸縮性が大きく表面が滑らかな薄膜で先端側の厚みが後端側より薄く制作されることが多い。先端側の厚みが後端側より薄いと先端側から先に膨張する（拡張される）。弾性フィルムの素材としては、ポリウレタンやラテックス等のゴムが挙げられ、特にゴムは初期弾性率が小さく、バルーン用として好適である。
【００１６】
弾性フィルムの厚みは０．１〜０．４ｍｍの範囲が好ましい。両バルーン９，１０に使われる弾性フィルムは同一厚みである必要はない。また、先端側と後端側の厚みの差は５〜２５％位でよく、例えば筒状の弾性フィルムを製作する際に薄くするか，また簡単な方法としては、製作した筒状の弾性フィルムの該当部分を膨張させて、残留伸びを固定させて膜厚を薄くするなどの方法で得られる。
【００１７】
一方、筒状の芯鞘糸物１０ａは、芯用弾性糸と芯用弾性糸より自由長の大きい鞘用非弾性糸とからなる芯鞘糸（複合糸）を素材として作られており、編物、織物、組紐、大きな綾角で筒状に巻いたものが挙げられるが、中でも伸縮性のある筒編構造のものが好ましい。
【００１８】
芯用弾性糸と鞘用非弾性糸の自由長の比は０．１５〜０．５であることが好ましい。さらに好ましくは０．２〜０．３５である。この値が大きすぎるとバルーンは十分に膨張し難くなる。また、この値が小さすぎると非弾性糸による補強効果が十分に発揮されず、バルーン膨張時に破損が生じ易くなる。ただし破損を回避するために細心の注意を払って製造すれば、上記の比がより大きい場合にも本発明の効果をいかすことができる。
【００１９】
なお、上記自由長の比は、芯鞘糸のＳ−Ｓカーブが高張力側に屈折する点を測定することによって知ることができる。非弾性糸の自由長のバラツキがあって、前記の屈折点が不明瞭な場合は、前後の直線部から外捜することにより知ることができる。
【００２０】
芯鞘糸は弾性糸を芯、非弾性糸を鞘とする構造である。すなわち、内圧により膨張し易くするため、或いは膨張の部分的順序や最終的な膨張形状を設定しておくために、あらかじめ膨張・収縮させて癖付をしておくような場合があり、この場合には両構成糸の分離が悪影響を及ぼす恐れがあるのである。
【００２１】
芯鞘糸の作り方としては、非弾性糸をオーバーフィードしながら交撚または流体交絡する方法、特にウレタン糸（弾性糸）に合成繊維の撚糸（非弾性糸）を螺旋状に巻いた芯鞘糸がコンパクトである点で好ましい。非弾性糸は加工糸である方が、伸縮性や弾性フィルムとの接着性等に優れていて好ましい。加工糸の中でも伸縮性に優れる仮撚加工糸が良い。加工糸でない場合は弾性糸との分離を起こしやすい欠点があるが、それも撚数を十分大きくするなどの対策により、分離し易い欠点を回避することは可能である。
【００２２】
芯用の弾性糸としては、伸縮性のある繊維であれば別に制約されない。例えば天然ゴムや合成ゴムなどのゴム並びにポリウレタンの単糸や撚糸が適当であり、巻きつける合成繊維（非弾性糸）の糸はナイロン、ポリエステルや「テフロン」（登録商標）などの強力糸の他、ポリイミドやポリエチレンなどの高強力糸の単糸でもよいが、撚糸の方が撓やかで好ましい。これらの糸の太さは作用部位や目的に合わせて要求される耐圧性が異なるので特に限定されないが、芯用の弾性糸は１０〜５０Ｄ、巻き付ける強力糸や高強力糸の非弾性糸は３０〜１５０Ｄの範囲で選ばれることが多い。
【００２３】
そして、バルーン１は、図５に示すように、一端が内チューブ１４の側に固定されて他端が外チューブ１１の側に固定されることによりチューブ２に付設されている。すなわち、内チューブ９の先端に金属製先端パイプ１５を全長の半分くらいまで納まるように差し込んだ上から糸を縛り付けて止め付けることにより金属製先端パイプ１５が固定されていて、内バルーン９の一端が糸で先端パイプ１５の差し込み域に縛り付けられて固定されているとともに、外バルーン１０の一端が、やはり糸で先端パイプ１５の差し込み域に縛り付けられて固定されている。また、チューブ２の最先端部分では、エポキシ樹脂系等の接着剤１７によって先細りテーパー状の先端チップ１８が接着固定されている他、バルーン端部や接続部はエポキシ樹脂系等の接着剤１７によって滑らかに仕上げられている。
【００２４】
また、外チューブ１１の先端に金属製接続パイプ１５を全長の１／３くらいまで納まるように差し込んだ上から糸を縛り付けて止め付けることにより金属製接続パイプ１３が固定されていて、内バルーン９の他端が接続パイプ１３の先端に糸で縛り付けられて固定されているとともに、外バルーン１０の他端が接続パイプ１３の中程に糸で縛り付けられて固定されている。また、エポキシ樹脂系等の接着剤１９でバルーン端部や接続部は滑らかに仕上げられている。
【００２５】
血管や心臓内腔への挿入時あるいは引出時においては、外チューブ１１に対して内チューブ１４を（軸方向に）摺動前進させて、内外の両バルーン９，１０を軸方向に伸張させ縮径させる（径を縮める）操作を行う。
【００２６】
また、バルーン２を下にして拡張用液体をベントチューブ４から注入することによって、バルーン及びカテーテル内の空気を抜くと共に拡張用液体を充填出きる。
【００２７】
チューブ２の長さについては、患者の年齢、体格や挿入部から治療する場所までの距離によって異なるので特定の長さに規定されるものではないが、好ましくは２０〜１２０ｃｍの範囲のものが使用される。
【００２８】
剛性のある内チューブ１４としては、例えばポリエチレン、「テフロン」（登録商標）、ポリプロピレン、あるいはナイロンのような合成樹脂製のチューブが挙げられる。これらのチューブの他に、可塑剤を溶媒で抽出して剛性をもたせた塩化ビニル樹脂製のチューブや、放射線照射で架橋硬化させて剛性をもたせた樹脂製のチューブ、さらには、可塑剤を少なくして剛性をもたせた樹脂製のチューブ等も使用することができる。一方、トルク性のある硬い外チューブ１１の方も、内チューブ１４と同様の材質のチューブを使用できる。さらに、これらのチューブに硫酸バリウムやビスマスの化合物あるいはタングステンのような金属粉末の造影剤を混入させておくと、血管内の位置をレントゲン撮影により知る助けとなり好ましい。
【００２９】
また、図５において、外チューブ１１の内面と金属製接続パイプ１３の表面の間に先端が挟み付けられて取り付けられ、手元側へ導き出されているリード糸（ケブラー糸）１２は、外チューブ１１に対して内チューブ１４を（軸方向に）摺動前進させて、内外の両バルーン９，１０を軸方向に伸張させ縮径させた時に、外チューブ１１が伸びないよう歯止めをかけるためのものである。外チューブ１１の伸びをおさえる糸としては、特定の素材のものに限られないが、弾性率の高い繊維、例えばポリアミド糸が適当である。さらに、外チューブ１１の伸びをおさえるのに、糸でなく編物を用いてもよい。また、外チューブ１１の伸びをおさえる糸や編物は外チューブ１１に埋設してもよい。
【００３０】
バルーン２を膨張させる流体は、図５に矢印ＲＡで示すように、内チューブ１４と外チューブ１１の間隙を経由して内バルーン９ヘ送り込まれる。バルーン２を膨張させる流体としては、例えば生理食塩水や造影液などの液体や炭酸ガスなどの気体が用いられる。これらの流体は、注射筒等により、その一定量を圧入する方法で用いられる。内バルーン９に流体が十分に送りこまれると、図２に示
すように、バルーン２が瓢箪形に膨張する。
【実施例】
【００３１】
続いて、以上に説明した最良の形態のカテーテル、バルーン拡張用注入器に則した具体的な構成を有する
実施例を説明する。
【００３２】
３０Ｄのポリウレタン糸（芯用弾性糸）に７０Ｄ−２４ｆのポリエステル糸からなる仮撚加工糸（鞘用非弾性糸）を、ポリウレタン糸に対して３７０％オーバーフィードして４１２Ｔ／ｍで交撚して芯鞘糸（複合糸）を製造した。両糸の自由長の比をＳ−Ｓカーブから読み取ると０．２６であった。
【００３３】
このように製造した芯鞘糸を、直径２２ｍｍの円周に５４本の編み針を並べた編み機で筒編みして、外バルーン１０に用いる筒状の芯鞘糸物１０aを得た。
【００３４】
一方、外チューブ１１として、ＤＯＰ４０重量部および造影剤５０重量％を含有する１２Ｆｒで長さ６９０ｍｍの塩化ビニルチューブの中空側にリード糸１２として２００Ｄのポリイミド撚糸を沿わせるとともに、先端にステンレスパイプを金属製接続パイプ１３として装着し、後端には４方コネクタを装着しておく。
【００３５】
他方、内チューブ１４として、ＤＯＰ２４重量部を含有する先端部外径１．７ｍｍのポリ塩化ビニルチューブに外径１．５ｍｍのステンレスパイプを金属製先端パイプ１５として装着し、後端に外径２．５ｍｍ長さ３０ｍｍの針基付きステンレスパイプを挿入した。各ステンレスパイプは７０μｍ及び１１０μｍのナイロン糸で内チューブ及び外チューブに縛り付けてしっかり固定した。なお、内チューブ１４の曲げモーメントは２０ｇ・ｃｍであった。  そして、内チューブ１４を先ず４方コネクタに通してから、さらに外チューブ１１に挿入した後、外チューブ１１を４方コネクタに固定して、カテーテルのチューブ２となる部分を作製した。
【００３６】
次に、厚さ０．３ｍｍ、長さ２５ｍｍのゴムチューブを内バルーン９の弾性フィルムとして、その一端と他端を内チューブ１４および外チューブ１１の先端に７０μｍのナイロン糸でそれぞれ縛り付けて固定してからゴムチューブの表面にシリコーングリースを少量塗布した。また、芯鞘糸物１０aの中ほどに厚み０．２ｍｍ、長さ７ｍｍのゴム帯を弾性体のバンド１６としてゴム糊で貼りつけた後、さらにその外側に先端側の厚みが０．２ｍｍで後端側の厚みが０．３ｍｍであるゴムチューブを外バルーン１０における弾性フィルム１０ｂとして貼り付けた。これを内バルーン９に被せて全長が２５ｍｍになるように合わせて、内チューブ１４および外チューブ１１に７０μｍ及び９０μｍのナイロン糸で縛り付けて固定した。そして、余分の編物部分やゴム部分は切り取り、内バルーン９および外バルーン１０からなるバルーン１を作製した。その後、４方コネクタに二方活栓を取り付けるとともに、内バルーン９の手元側まで届く外径０．５ｍｍの延長チューブを取り付けたバルーン付きカテーテル内のガス抜き用の２方活栓付きベントチューブ４を取り付け、バルーン１の両端や先端及び継ぎ部分をエポキシ樹脂系接着剤で滑らかに仕上げして実施例１のバルーン付カテーテルを完成した。
【００３７】
完成したバルーン付カテーテルに３０ミリリットル用注射筒を取り付けて、２方活栓付きベントチューブ４からバルーン付きカテーテル内の空気を抜きながら水に置き換えた後、２方活栓付きベントチューブ４の２方活栓を閉止し、バルーン拡張用注入口の２方活栓に注射筒３を取り付けて約７ミリリットルの水を注入した。バルーン１は先端のみが約２０ｍｍに膨張した。また、さらに注入量を２４ミリリットルにすると、バルーン１の中央部は約３０ｍｍに膨張した。最大注入量が２４ミリリットルでそのときのバルーン拡張時の最大規定径が３０ｍｍと表示された注射筒の最大注入量表示から０．１ｍｍ手元側に離れた位置に外径０．３ｍｍの注射筒外筒を貫通する孔を開けて、最大注入量まで注入液を入れバルーンを再度拡張したところ、バルーン外径は３０ｍｍまで拡張できた。また、最大注入量を超えて注入液を満たそうとすると大量の気泡が入り、最大注入量以上に注入出来ないことを確認した。同様に合計１０本製作して、結果が同じであることを確認した。
【００３８】
本発明は、下記のように変形実施することができる。
（１）図１のカテーテルは、二重袋式バルーンであったが、バルーンが単一袋式バルーンである構成のカテーテルも、変形例として挙げることができる。
【００３９】
具体的には、図５において内バルーン９である弾性フィルムも芯鞘糸物１０ｂに接着されている多層単一袋式バルーンや、さらには芯鞘糸物１０ｂもない単一層単一袋式バルーンのカテーテル等が挙げられる。芯鞘糸物１０ｂもない単一層単一袋式バルーンのカテーテルの場合は破裂、漏れ防止に有効である。
（２）図１のカテーテルは、バルーンが瓢箪形に膨らむ構成であったが、バルーンに弾性体のバンド８が取り付けられていない非瓢箪形に膨らむ構成のカテーテルも、変形例として挙げることができる。
【図面の簡単な説明】
【００４０】
【図１】本発明の一実施形態のバルーン付きカテーテルとバルーン拡張用注入器の全体の概略構成を示す平面図
【図２】バルーン付きカテーテルの拡張したバルーンを示す平面図
【図３】本発明の一実施形態の全体を示す平面図
【図４】本発明の一実施形態の図３のＸ−Ｘ断面図
【図５】一実施形態のバルーン部の断面図
【図６】一実施形態の複合糸の編み方を示す構造図
【図７】一実施形態の編み物の複合糸が切れた瞬間を示す平面図
【図８】一実施形態の編み物の複合糸が切れた後の編み目の外れの初期を示す平面図
【図９】一実施形態の編み物の複合糸が切れた後の編み目の外れの後期を示す平面図
【図１０】一実施形態の編み物の複合糸が切れた後の弾性フィルムの拡張を示す平面図
【符号の説明】
【００４１】
１    バルーン
２    チューブ
３    注射筒
４    ベントチューブ
５    孔
６    注入量表示
７    拡張径表示
８    バンド
９    内バルーン
１０    外バルーン
１１    外チューブ
１２    リード糸
１３    金属製接続パイプ
１４    内チューブ
１５    金属製先端パイプ
１６    細孔
１７    接着剤
１８    先端チップ
１９    接着剤
２０    弾性フィルムの拡張
２１    編み目が外れた部分
２２    編み目が外れていない部分
Ａ      複合糸の切断部
ＲＡ    バルーン拡張時の流入方向
【図１】
2009291345.tif 000003
【図２】
2009291345.tif 000004
【図３】
2009291345.tif 000005
【図４】
2009291345.tif 000006
【図５】
2009291345.tif 000007
【図６】
2009291345.tif 000008
【図７】
2009291345.tif 000009
【図８】
2009291345.tif 000010
【図９】
2009291345.tif 000011
【図１０】
2009291345.tif 000012